(57)【要約】      （修正有）【課題】階層的な操作を要する記録再生装置において、階層的な操作項目をメニュー表示させことなく必要な設定が可能な記録再生装置等を提供する。【解決手段】映像の記録および再生を行う記録再生装置であって、ユーザから指示を受け付ける操作入力手段１０１と、受け付けられた指示が、記録再生装置における設定の手順を表す複数の記号に対応付けられた履歴操作であるか否かを判定する解析手段１０３と、解析手段１０３において履歴操作であると判定された場合に、複数の記号に従って記録再生装置における設定を行う設定手段１０４とを備える。【選択図】図１
2007335008.tif 000002
【特許請求の範囲】
【請求項１】
映像の記録および再生を行う記録再生装置であって、
ユーザから指示を受け付ける操作入力手段と、
受け付けられた前記指示が、当該装置における設定の手順を表す複数の記号に対応付けられた履歴操作であるか否かを判定する解析手段と、
前記解析手段において履歴操作であると判定された場合に、前記複数の記号に従って当該記録再生装置における設定を行う設定手段と
を備えることを特徴とする記録再生装置。
【請求項２】
前記記録再生装置は、さらに、
ユーザからの指示に基づいて、当該装置における設定の手順を表す複数の記号に対応付けた履歴操作を登録する登録手段を備え、
前記操作入力手段は、さらに、
前記登録手段に登録されている前記履歴操作に対応付けられたボタンを含む
ことを特徴とする請求項１記載の記録再生装置。
【請求項３】
前記操作入力手段は、
リモコンから送信された赤外線信号を受信する受信部と、
受信した前記赤外線信号から指示の内容を解析する解析部とを備える
ことを特徴とする請求項１記載の記録再生装置。
【請求項４】
記録再生装置における操作方法であって、
ユーザから指示を受け付ける操作入力ステップと、
受け付けられた前記指示が、前記記録再生装置における設定の手順を表す複数の記号に対応付けられた履歴操作であるか否かを判定する解析ステップと、
前記解析手段において履歴操作であると判定された場合に、前記複数の記号に従って当該記録再生装置における設定を行う設定ステップと
を有することを特徴とする操作方法。
【請求項５】
記録再生装置に用いられる、コンピュータに実行させるためのプログラムであって、
ユーザから指示を受け付ける操作入力ステップと、
受け付けられた前記指示が、前記記録再生装置における設定の手順を表す複数の記号に対応付けられた履歴操作であるか否かを判定する解析ステップと、
前記解析手段において履歴操作であると判定された場合に、前記複数の記号に従って当該記録再生装置における設定を行う設定ステップと
を含むことを特徴とするプログラム。
【発明の詳細な説明】
【技術分野】
【０００１】
本発明は、映像の記録及び再生を行う記録再生装置およびその操作方法に関する。
【背景技術】
【０００２】
近年、テレビジョン受像機、ビデオ装置又はＯＡ機器などの電子装置において、多様な機能を体系的に分類した階層構造のメニューを画面上に表示し、この画面を見たユーザからの操作に従って、必要な設定を行わせることが可能となっている。この場合、ユーザは、電子装置の本体の上面や側面に備えられているボタンや電子装置に付属のリモートコントロール装置（以下、「リモコン」という。）のボタン等を用いて操作を行う。例えば、リモコンのボタン等には、画面上にメニューを表示させるための「メニュー」、「スタート」又は「設定」等と名付けられたボタン、画面上に表示されたメニューを操作するための「上」、「下」、「左」、「右」、「決定」又は「戻る」等と名付けられたボタンなどがある。ユーザは、画面上に表示されたメニューを見ながら操作を行うことにより、必要な設定を行うことができる。
【０００３】
ところが、最近では、電子装置の機能の増加や多様化に伴い、メニュー画面の階層が深くなったり、同じ階層であってもメニューの項目数が多くなったりする傾向にある。そのため、ユーザは、所望の操作に対応するメニューが深い位置にある場合又は同じ階層でも下方の位置に配置されている場合などは、多くの操作を行なわなければならないという問題がある。
【０００４】
上記の課題を解決するために、特定の機能を実行するために階層構造に従って順次選択すべき一連の設定項目を操作履歴情報として記憶し、次にその特定の機能を実行する場合には、記憶された操作履歴情報を呼び出して実行する電子機器が公開されている（例えば、特許文献１参照）。
【０００５】
特許文献１の画像形成装置および記録媒体においては、操作履歴情報設定プログラムによって、項目の階層構造に従って順次選択した操作キーの操作履歴情報を、キーマクロデータとして不揮発性メモリに記憶させ、記憶させた特定の機能を再び実行させる場合には、不揮発性メモリに記憶されているキーマクロデータをキーマクロ実行プログラムによって再び呼び出して実行させる。これにより、キー操作の多い特定の機能を繰り返して実行する場合や、同じ動作を高い頻度で繰り返す場合であっても、簡易かつ迅速に機能を実行させることができ、操作性及び作業効率の改善を図ることができる。
【特許文献１】特開２００３−１３１５２６号公報
【発明の開示】
【発明が解決しようとする課題】
【０００６】
しかしながら、上記特許文献１の画像形成装置の構成では、記憶されているキーマクロデータを呼び出して選択する際、ユーザは、登録するキーマクロデータを識別するために予めキーマクロを記憶させる時に併せて登録しておいたキーマクロＩＤを表示装置に表示させ、表示装置に表示されたキーマクロＩＤを選択する必要がある。
【０００７】
さらに、ＤＶＤメディアにテレビ番組等の映像を記録することができるＤＶＤレコーダ、また、録画可能なハードディスクが内蔵され、テレビ番組等の映像を記録することができるハードディスク内蔵ＤＶＤレコーダ等（以下、単に「ＤＶＤレコーダ」ともいう。）、映像を表示させる機能を持つ記録再生装置においては、キーマクロデータを登録してそれを利用しようとした場合、その都度記憶されているキーマクロデータ一覧等を表示装置に表示させ、所望の操作に該当するキーマクロデータを選択しなければならないため、使い勝手が悪いという課題がある。
【０００８】
本発明は、上記課題に鑑みてなされたものであり、階層的な操作を要する記録再生装置において、階層的な操作項目をメニュー表示させることなく必要な設定が可能な記録再生装置等を提供することを目的とする。
【課題を解決するための手段】
【０００９】
上記課題を解決するために、本発明に係る記録再生装置は、映像の記録および再生を行う記録再生装置であって、ユーザから指示を受け付ける操作入力手段と、受け付けられた前記指示が、当該装置における設定の手順を表す複数の記号に対応付けられた履歴操作であるか否かを判定する解析手段と、前記解析手段において履歴操作であると判定された場合に、前記複数の記号に従って当該記録再生装置における設定を行う設定手段とを備えることを特徴とする。これにより、階層的な操作を要する記録再生装置において、階層的な操作項目をメニュー表示させことなく必要な設定が可能な記録再生装置が実現できる。
【００１０】
さらに、本発明は、上記記録再生装置における特徴的な構成手段をステップとする操作方法として実現したり、それらのステップをコンピュータ等に実行させるためのプログラムとして実現したりすることもできる。そして、そのプログラムをＤＶＤ等の記録媒体やインターネット等の伝送媒体を介して広く流通させることができるのは云うまでもない。
【発明の効果】
【００１１】
以上のように、本発明によれば次に示すような効果が得られる。
【００１２】
第一に、保持する機能が体系的に分類・整理された階層構造のメニューを持ち、リモコンで操作可能な記録再生装置において、リモコンが履歴ボタンを保持し、ユーザが履歴ボタンと履歴ボタン以外のリモコンボタンを操作することで、登録されている履歴情報を呼び出して記録再生装置を操作することができる。これにより、同じ操作の実施については、メニュー画面を表示させて操作する場合より簡略化させることができる。
【００１３】
第二に、保持する機能が体系的に分類・整理された階層構造のメニューを持ち、リモコンで操作可能な記録再生装置において、リモコンが履歴ボタンを保持し、ユーザは、使用頻度や設定頻度が高い操作を、所望のリモコンボタンに登録することができ、これにより、再度同じ操作を行いたい場合には、登録した履歴情報を呼び出すことができるので、操作を簡略化させることができる。
【発明を実施するための最良の形態】
【００１４】
以下、本発明の実施の形態に係る記録再生装置（さらに、記録装置および再生装置）について説明する。なお、以下の実施の形態において本発明について図面を用いて説明するが、本発明をこれらに限定することを意図するものではない。また、以下の説明および各図面において、同一の構成要素については同一の符号を用い、その説明は省略する。
【００１５】
本発明に係る記録再生装置等は、例えばテレビ放送の受信、記録及び／又は、再生が可能なＤＶＤレコーダ（ハードディスク内蔵タイプも含む。）などである。
【００１６】
（実施の形態１）
図１は、本実施の形態に係る記録再生装置１００およびリモコン２００の機能構成を示すブロック図である。
【００１７】
図１に示す記録再生装置１００は、当該装置における各種の設定を容易に行うことが可能な装置であり、受信部１０１、入力部１０２、解析部１０３、メニュー制御部１０４、記録制御部１０５、再生制御部１０６、記録部１０７、チューナ部１０８および表示部１０９を備えている。
【００１８】
また、図２に示すリモコン２００は、記録再生装置１００を操作するための装置であり、入力部２０１、解析部２０２、記憶部２０３および送信部２０４を備えている。
【００１９】
まず、図１の記録再生装置１００について説明する。
【００２０】
受信部１０１は、リモコン２００から出力されたリモコン信号を受信し、解析部１０３に出力する。受信部１０１は、例えば、ＩＲ（赤外線）受信デバイスなどである。
【００２１】
入力部１０２は、リモコン２００と同様、ユーザから当該記録再生装置１００を操作するための入力を受け付け、この入力を表す情報（以下、ボタン情報」という。）を解析部１０３に出力する。入力部１０２は、例えば、記録再生装置１００本体の前面や上面等に具備されているボタンやスイッチ等である。
【００２２】
解析部１０３は、受信部１０１又は入力部１０２から入力されたボタン情報を解析する。解析部１０３は、入力されたボタン情報が履歴操作を行うボタン情報である場合には、履歴操作を行うことをメニュー制御部１０４に通知すると共に、入力されたボタン情報に対応するメニュー制御信号をメニュー制御部１０４に出力する。さらに解析部１０３は、入力されたボタン情報が履歴操作以外の操作（即ち、通常の操作）を行うボタン情報である場合は、入力されたボタン情報に対応するメニュー制御信号をメニュー制御部１０４に出力する。
【００２３】
メニュー制御部１０４は、解析部１０３から入力したメニュー制御信号に基づいて、表示部１０９に表示されているメニューに関する制御を行う。例えば、記録再生装置１００の記録機能の操作（具体的には、チューナ１０８から入力される映像信号を録画すること、チューナ１０８から入力される映像信号の録画を停止すること、又は録画に関する設定の変更を行うこと）を表すメニュー制御信号が入力された場合には、記録制御部１０５に、操作内容（例えば、記録の開始、記録の停止、又は設定の変更等）を通知する。また、記録再生装置１００の再生機能を操作すること（具体的には、記録部１０７に記録されている映像信号を再生すること、記録部１０７に記録されている映像信号の再生を停止すること、又は再生に関する設定の変更を行うこと）を表すメニュー制御信号が入力された場合には、再生制御部１０６に、その操作内容（例えば、再生の開始、再生の停止、又は設定の変更等）を通知する。
【００２４】
記録制御部１０５は、メニュー制御部１０４から、チューナ部１０８を介して入力された映像信号についての記録の開始又は記録の停止が通知されると、映像信号の記録を開始又は停止する。また、記録制御部１０５は、メニュー制御部１０４から、録画に関する設定の変更が通知された場合には、通知された内容に従って録画に関する設定を変更する。
【００２５】
再生制御部１０６は、メニュー制御部１０４から、記録部１０７に記録されている映像信号についての再生の開始又は再生の停止が通知されると、映像信号の再生を開始又は停止する。また、再生制御部１０６は、メニュー制御部１０４から、再生に関する設定の変更が通知された場合には、通知された内容に従って再生に関する設定を変更する。
【００２６】
記録部１０７は、例えば、記録再生装置１００に内蔵されているハードディスク等の記録媒体であり、チューナ部１０８から入力された映像信号を録画して保存する。なお、記録再生装置１００は、上記のハードディスクに限らず、ＤＶＤメディア等の装着可能なドライブ等を備えることをこととしてもよい。
【００２７】
チューナ部１０８は、例えば、テレビチューナ等であり、アンテナ等を介して受信されたテレビ等の映像信号を入力する。
【００２８】
表示部１０９は、例えば、記録再生装置１００が保持する液晶モニタなどのディスプレイである。表示部１０９は、メニュー画面や、記録部１０７に記録されている映像信号に基づいて映像を表示する。記録再生装置１００が表示部１０９を備えていない場合は、外部接続されたディスプレイ等でもよい。
【００２９】
次に、図２のリモコン２００について説明する。
【００３０】
入力部２０１は、リモコン２００上に配置されているボタン等であり、ユーザからの入力を受け付ける。さらに、入力部２０１は、ユーザから入力された操作に対応するボタン情報を解析部２０２に出力する。
【００３１】
解析部２０２は、入力部２０１から入力したボタン情報を解析し、このボタン情報が、記録再生装置１００の表示部１０９に表示されているメニューの操作を行うことを示すボタン情報である場合は、これに対応するリモコン信号を送信部２０４に出力する。また、解析部２０２は、入力部２０１から入力したボタン情報が、リモコン２００の記憶部２０３に記憶されている履歴情報を読み出して実行することを示すボタン情報である場合は、記憶部２０３に記憶されている履歴情報のうち、入力部２０１から入力したボタン情報に対応する履歴情報を取得し、取得した履歴情報に対応するリモコン信号を送信部２０４に出力する。
【００３２】
記憶部２０３は、例えば、ＲＡＭであり、解析部２０２の指示により、リモコンボタンの履歴情報を書き込み又は読み出す。
【００３３】
送信部２０４は、解析部２０２から入力したリモコン信号を赤外線信号に変換し、送信する。
【００３４】
図３は、リモコン２００の上面３００に配置されるボタンの配置例を示す図である。図３に示すように、リモコン２００の上面３００には、電源ボタン３０１、メニューボタン３０２、上操作ボタン３０３、下操作ボタン３０４、左操作ボタン３０５、右操作ボタン３０６、決定ボタン３０７、戻るボタン３０８、及び履歴ボタン３０９が配置されている。
【００３５】
電源ボタン３０１は、例えばトグルスイッチであり、ユーザから押下されることにより、記録再生装置１００の電源の「ＯＮ」又は「ＯＦＦ」を制御する。
【００３６】
メニューボタン３０２は、ユーザから押下されることにより、記録再生装置１００に保持されている階層構造のメニューを記録再生装置１００の表示部１０９に表示させる。また、メニューボタン３０２は、ユーザから押下されることにより、記録再生装置１００に保持されている階層構造のメニューが記録再生装置１００の表示部１０９に表示されている場合には、表示されているメニューを消去させる。
【００３７】
さらに、上操作ボタン３０３、下操作ボタン３０４、左操作ボタン３０５、右操作ボタン３０６、決定ボタン３０７及び戻るボタン３０８は、それぞれ、ユーザから押下されることにより、記録再生装置１００の表示部１０９に表示されているメニューで選択されている項目、つまり、フォーカスが当たっている（例えば、強調表示や太枠で囲まれている）項目を、それぞれ上下左右に移動させたり、選択を決定したりする。これらのボタンに対してユーザから押下されることにより、１つ前の階層や画面に処理を戻すなど、メニュー操作を制御する。
【００３８】
履歴ボタン３０９は、ユーザから押下されることにより、リモコン２００が保持している履歴情報に基づいて、記録再生装置１００を操作することが可能な状態に切り替える。リモコン２００は、リモコン２００の上面３００に配置されているボタン数と同数又はそれ以上の数の履歴情報を記憶することができる。この場合、ユーザは、履歴情報を呼び出して操作を行ないたい場合、まず、履歴ボタン３０９を押下し、その後に、所望の操作の履歴情報が登録されている、上操作ボタン３０３、下操作ボタン３０４、左操作ボタン３０５、右操作ボタン３０６、決定ボタン３０７及び戻るボタン３０８のいずれかのボタンを指定の回数だけ押下する。
【００３９】
図４は、記録再生装置１００が保持するメニュー画面の表示例である。
【００４０】
図４に示すように、本記録再生装置１００は、「録画予約」、「予約一覧」、「機器設定」、「初期設定」等の機能が階層構造のメニューとして実装されており、ユーザから、リモコン２００の上面３００に配置されているメニューボタン３０２が押下されることにより、画面に表示する。また、ユーザから、リモコン２００の上面３００に配置されている上操作ボタン３０３、下操作ボタン３０４、左操作ボタン３０５、右操作ボタン３０６、決定ボタン３０７、及び戻るボタン３０８の何れかが押下された場合は、階層の移動や項目の選択を行わせるため、表示部１７０における表示内容を変更する。
【００４１】
例えば、「映像再生時の音声出力の設定をＲ出力に変更する」場合は、ユーザからリモコン２００のメニューボタン３０２が押下されると、図４に示すメニュー画面を表示させた後に、下操作ボタン３０４を５回、右操作ボタン３０６を１回、下操作ボタン３０４を１回、右操作ボタン３０６を１回、下操作ボタンを２回、決定ボタン３０７を１回の各押下（即ち、合計１１回のボタン押下）を受け付けることによって、設定を変更する。
【００４２】
図５は、リモコン２００の記憶部２０３に記憶されている履歴情報のデータの一例である。
【００４３】
図５に示すように、本リモコン２００の記憶部２０３には、リモコン２００に配置されているボタンに対応させた番号５０１と、それぞれのボタンに登録されているメニュー操作を実行するための履歴情報５０２が記録されている。履歴情報５０２は、リモコン２００に配置されている各ボタンを識別するために番号を付与し、リモコンボタンに対応する番号ごとに、登録されている履歴情報を表すデータが記述されている。履歴情報の形式は、例えばバイナリファイルなどで、バイナリファイルの場合は、各ボタンに対応させた番号と、ボタンを押下する順番が数値データとして記憶されている。図５に記述されている「Ｍ」は、メニューボタン３０２を押下することを示している。また、「２」は、下操作ボタン３０４、「４」は、右操作ボタン３０６、「５」は、決定ボタン３０７を押下することをそれぞれ示している。
【００４４】
次に、上記のように構成される記録再生装置１００およびリモコン２００の動作について説明する。以下では、ユーザが「映像再生時の音声出力の設定をＲ出力に変更する処理」を行うために、リモコン２００に記憶されている履歴情報を用いて記録再生装置１００を操作する場合を想定する。
【００４５】
図６は、上記本実施の形態に係る記録再生装置１００の処理の流れを示すフローチャートである。
【００４６】
まず、ユーザから、リモコン２００の上面３００に配置されているリモコンボタンのうち、リモコン２００に記憶されている履歴情報を読み出すためのリモコン履歴ボタン３０９の押下を受け付けると、ユーザから押下されたリモコンボタンの情報を入力部２０１に出力する（ステップＳ１０１）。
【００４７】
入力部２０１は、ステップＳ１０１において、ユーザが押下したリモコンボタンを特定し、履歴操作を行うか、通常のメニュー操作を行うかを判断する（ステップＳ１０２）。
【００４８】
次に、入力部２０１は、ステップＳ１０２においてユーザによって押下されたリモコンボタンを特定した結果、入力されたボタンが通常のメニュー操作を行うボタン、即ち、履歴ボタン３０９以外のボタンの場合は、押下されたボタンに対応するボタン情報を解析部２０２に出力する（ステップＳ１０３）。
【００４９】
解析部２０２は、ステップＳ１０３において、入力部２０１より入力されたボタン情報に対応するリモコン信号を作成し、送信部２０４に出力する（ステップＳ１０４）。
【００５０】
一方、入力部２０１は、ステップＳ１０２において、ユーザが押下したリモコンボタンを特定した結果、入力されたボタンが履歴操作を行うボタン、すなわち、履歴ボタン３０９の場合は、次にユーザによって押下され、入力部２０１に入力されるボタン情報を待ち、入力されたボタン情報を解析部２０２に出力する。本実施例では、ユーザは右操作ボタン３０６を押下する（ステップＳ１０５、ステップＳ１０６）。
【００５１】
解析部２０２は、ステップＳ１０６において、入力部２０１より入力されたボタン情報に基づいて、入力部２０１より入力されたボタン情報に対応する履歴情報を記憶部２０３より取得する。本実施例では、右操作ボタン３０６に対応する番号「４」に登録されている履歴情報である「M，２，２，２，２，２，４，２，４，２，２，５」という履歴情報を取得する（ステップＳ１０７）。
【００５２】
解析部２０２は、ステップＳ１０７において、記憶部２０３より取得した履歴情報に対応するリモコン信号を作成し、送信部２０４に出力する。解析部２０２は、ステップＳ１０７において記憶部２０３より取得した履歴情報に基づいたリモコン信号を送信部２０４に出力する際、出力するリモコン信号が履歴情報に基づいた信号であることを識別させるために、出力するリモコン信号の先頭に、以下に続くリモコン信号が履歴情報に基づく信号であることを表す識別データを追加する。識別データは、例えば、履歴ボタン３０９に対応するリモコン信号、その他予め定められたデータであればなんでもよい（ステップＳ１０８）。
【００５３】
送信部２０４は、上記ステップＳ１０４又はステップＳ１０８において解析部２０２から入力したリモコン信号を赤外線のリモコン信号として出力する（ステップＳ１０９）。
【００５４】
記録再生装置１００の受信部１０１は、ステップＳ１０９において、リモコン２００の送信部２０４から出力されたリモコン信号を受信する（ステップＳ１１０）。
【００５５】
受信部１０１は、ステップＳ１１０において、受信したリモコン信号を、解析部１０３に出力する（ステップＳ１１１）。
【００５６】
解析部１０３は、ステップＳ１１１において、受信部１０１より入力したリモコン信号を解析し、その識別コードを認識して、入力したリモコン信号が、履歴操作を行うリモコン信号か、履歴操作以外の通常のメニュー操作を行うリモコン信号かを特定する（ステップＳ１１２）。
【００５７】
解析部１０３は、上記ステップＳ１１２において、受信部１０１から入力したリモコン信号が、通常のリモコン操作を行うリモコン信号である場合（Ｓ１１２：Ｎｏ）、入力したリモコン信号は通常のリモコン操作を行うリモコン信号であることをメニュー制御部１０４に通知し、入力したリモコン信号をメニュー制御部１０４に出力する（ステップＳ１１３）。
【００５８】
メニュー制御部１０４は、上記ステップＳ１１３において、解析部１０３から通常のメニュー操作を行うリモコン信号を入力すると、入力したリモコン信号に基づいてメニュー操作を行う。例えば、表示部１０９にメニューが表示されていない場合にメニューボタンのリモコン信号が入力されると、メニューを表示し、表示部１０９にメニューが表示されている場合にメニューボタンのリモコン信号が入力されると、メニューを消去し、表示部１０９にメニューが表示されている場合に、上操作ボタン、下操作ボタン、左操作ボタン、右操作ボタン、決定ボタン、戻るボタン等のリモコン信号が入力されると、表示されているメニューの該当する項目のフォーカスを移動させたり、選択を決定したり、処理をキャンセルしたり等、メニューの操作を行う（ステップＳ１１４）。
【００５９】
さらに、解析部１０３は、上記ステップＳ１１２において、受信部１０１から入力したリモコン信号が、履歴操作を行うリモコン信号である場合（Ｓ１１２：Ｙｅｓ）、入力したリモコン信号は履歴操作を行うリモコン信号であることをメニュー制御部１０４に通知し、入力されたリモコン信号をメニュー制御部１０４に出力する（ステップＳ１１５）。
【００６０】
メニュー制御部１０４は、上記ステップＳ１１５において、解析部１０３から入力したリモコン信号に基づいて、再生制御部１０６に、設定内容、即ち、音声出力の設定をＲ出力に変更することを通知する（ステップＳ１１６）。
【００６１】
再生制御部１０６は、上記ステップＳ１１６においてメニュー制御部１０４から通知された設定内容に基づいて、記録再生装置１００の再生に関する設定操作、即ち、音声出力の設定をＲ出力に変更する操作を行う（ステップＳ１１７）。
【００６２】
このように、本発明の実施の形態によれば、ユーザが記録再生装置１００の「音声出力の設定をＲ出力に変更したい」場合は、ユーザから、履歴ボタン３０９と右操作ボタン３０６の押下を受け付ける。従って、本実施の形態の場合は、リモコン２００のボタンを押下するのは合計２回で済むので、リモコン２００に履歴情報が登録されていない場合に、同じ操作を、メニュー画面を表示させて操作する場合よりも、操作を簡素化させることができる。
【００６３】
（実施の形態２）
上記実施の形態１では、登録されている履歴情報を用いて、所定の設定を簡略に実行する実施例について説明したが、本実施の形態では、任意のボタンに対応付けて履歴情報を登録する実施例について説明する。以下では、リモコン２００の左操作ボタン３０５に「映像再生時の音声出力の設定をL出力に設定する」操作を行うための履歴情報を対応付けて登録する場合を想定する。
【００６４】
図７は、本実施の形態に係る記録再生装置１００動作の流れを示すフローチャートである。
【００６５】
最初に、リモコン２００の解析部２０２は、ユーザから履歴ボタン３０９の押下を受け付け、メニューボタン３０２が押下された場合は、新たに履歴情報を登録することが可能な状態に切り替える。また、解析部２０２は、履歴情報を登録している間にユーザが履歴ボタン３０９の押下を受け付けると、履歴情報の登録作業を中止する。
【００６６】
また、リモコン２００の記憶部２０３は、解析部２０２から、新たに履歴情報を登録させるために、履歴情報を割り付けるボタンに対応する番号と、履歴操作を行うためのボタン操作のボタンを押下する順番が入力されると、履歴情報を記憶しているバイナリファイルなどのファイルに、該当する履歴情報を数値データとして追加して記憶する。
【００６７】
まず、ユーザから、リモコン２００の上面３００に配置されているリモコンボタンのうち、履歴情報の登録開始を示す履歴ボタン３０９の押下を受け付ける。ユーザから押下されたリモコンボタンの情報は、入力部２０１に出力される（ステップＳ２０１）。
【００６８】
入力部２０１は、上記ステップＳ２０１において、ユーザから押下されたリモコンボタンを特定し、履歴操作を行うか、通常のメニュー操作を行うかを判断する（ステップＳ２０２）。
【００６９】
上記ステップＳ２０２において、ユーザから押下されたリモコンボタンを特定した結果、入力されたボタンが通常のメニュー操作を行うボタン、即ち、履歴ボタン３０９以外のボタンの場合、これ以降の処理の流れは、実施の形態１で説明したステップＳ１０３以降の処理と同様である。
【００７０】
上記ステップＳ２０２において、ユーザから押下されたリモコンボタンを特定した結果、入力されたボタンが履歴操作を行うボタン、即ち、履歴ボタン３０９の場合は、次にユーザによって押下され、入力部２０１に入力されるリモコンボタン情報を待ち、入力されたボタン情報を入力部２０１に入力する。本実施例では、ユーザはメニューボタン３０２を押下し、ユーザが押下したボタンに対応するボタン情報は入力部２０１に出力される（ステップＳ２０３）。
【００７１】
次に、入力部２０１は、上記ステップＳ２０３において、入力部２０１から入力したボタン情報を識別し、履歴操作を行うか、履歴登録を行うかを判断する（ステップＳ２０４）。
【００７２】
上記ステップＳ２０４において、ユーザから押下されたリモコンボタンを特定した結果、入力されたボタンが履歴操作を行うボタン、即ち、既に履歴情報が登録されているボタンの場合、これ以降の処理の流れは、実施の形態１で説明したステップＳ１０６以降の処理と同様である。
【００７３】
ステップＳ２０４において、ユーザから押下されたリモコンボタンを特定した結果、入力されたボタンがメニューボタン３０２の場合、解析部２０２は、入力されたボタン情報を解析部２０２に入力し、ボタン情報を履歴情報として記録するために、記憶部２０３にボタン情報の記録を開始することを通知し、ボタン情報を記憶部２０３に入力する。また、次にユーザによって押下され、入力部２０１に入力されるボタンに対応するボタン情報を待ち、入力されたボタン情報を入力部２０１に入力する（ステップＳ２０５）。
【００７４】
次に、入力部２０１は、上記ステップＳ２０５において、入力したボタン情報を識別し、履歴登録を継続するか、履歴登録を終了するかを判断する（ステップＳ２０６）。
【００７５】
入力部２０１は、上記ステップＳ２０６において、ユーザから押下されたリモコンボタンを特定した結果、履歴登録を継続する場合は、入力されたボタン情報を解析部２０２に出力する（ステップＳ２０７）。
【００７６】
これにより、解析部２０２は、上記ステップＳ２０７において、入力部２０１より入力されたボタン情報を履歴情報として記録することを記憶部２０３に通知し、ボタン情報を記憶部２０３に入力する。また、解析部２０２は、ステップＳ２０７において、入力部２０１より入力されたボタン情報に対応するリモコン信号を作成し、送信部２０４に入力する（ステップＳ２０８）。
【００７７】
送信部２０４は、ステップＳ２０８において、解析部２０２より入力されたリモコン信号を送信する（ステップＳ２０９）。
【００７８】
記憶再生装置１００の受信部１０１は、ステップＳ２０９において、リモコン２００の送信部２０４より出力されたリモコン信号を受信する（ステップＳ２１０）。
【００７９】
受信部１０１は、ステップＳ２１０において、受信したリモコン信号を解析部１０３に出力する（ステップＳ２１１）。
【００８０】
解析部１０３は、ステップＳ２１１において、受信部１０１より入力されたリモコン信号を解析し、入力されたリモコン信号をメニュー制御部１０４に出力する（ステップＳ２１２）。
【００８１】
メニュー制御部１０４は、ステップＳ２１２において、解析部１０３からリモコン信号が入力されると、対応するメニュー操作を行う（ステップＳ２１３）。
【００８２】
ユーザは、ステップＳ２０５からステップＳ２１３までの処理を繰り返すことにより、メニューを操作し、所望の操作を行う。ユーザは、所望の操作が完了すると、履歴の登録を停止するために履歴ボタン３０９を押下する。ユーザが入力したボタン情報はリモコン２００の入力部２０１に入力される。リモコン２００の入力部２０１は、ユーザから入力されたボタンが履歴ボタン３０９の場合、履歴登録を終了することを解析部２０２に通知する。
【００８３】
解析部２０２は、入力部２０１から、履歴登録を停止することが通知されると、ボタン情報の登録を停止することを記憶部２０３に通知し、また、次にユーザによって押下され、入力部２０１に入力されるリモコンボタン情報を待ち、入力されたボタン情報を入力部２０１に入力する（ステップＳ２１４）。
【００８４】
入力部２０１は、ステップＳ２１４において、ユーザから入力されたボタン情報を解析部２０２に入力する。解析部２０２は、入力部２０１より入力されたボタン情報を、それまでに記憶部２０２に記録したボタン情報を履歴操作として行うためのボタンとして、入力されたボタン情報に対応する番号と、記憶した履歴情報を対応させて記憶部２０２に登録する（ステップＳ２１５）。
【００８５】
リモコン２００の記憶部２０３に記憶されている履歴情報のデータに、本実施の形態で新たに追加した履歴情報の記述を加えたものの一例を、図８に示す。図８では、左操作ボタン３０５を特定する番号を「３」とし、これと併せて、「映像再生時の音声出力の設定をL出力に設定する」操作を行うリモコンのボタン操作の内容「Ｍ，２，２，２，２，２，４，２，４，２，５」が追加されている。
【００８６】
このように、本発明の実施の形態によれば、ユーザが記録再生装置１００の音声出力の設定をＬ出力に変更する操作を履歴情報として登録したい場合、リモコン２００の履歴ボタン３０９を押下したのち、所望の操作を通常通りに行い、操作終了後に再度履歴ボタン３０９を押下し、履歴情報を登録するボタンを押下することで、履歴情報を登録することができる。これにより、ユーザは、再度同じ操作を行いたい場合には、登録した履歴情報を呼び出すことが可能になり、メニュー画面を表示させてメニュー画面を操作し、同じの設定を行う場合よりも、操作を簡素化させることができる。
【００８７】
尚、本発明の実施の形態では、履歴情報を登録する際、同時に記録再生装置１００の表示部１０９にメニューを表示させ、メニューの操作を行ったが、ユーザが、登録したい操作を実行するためのボタンの操作順を記憶している場合には、メニューを表示して操作させなくとも、リモコン２００へ履歴情報を登録することは可能である。
【００８８】
また、本発明の実施の形態では、リモコン２００の上面３００に履歴操作や履歴登録を行うことを通知するために専用の履歴ボタン３０９を配置したが、履歴操作や履歴登録を行うことを通知するために、複数のボタン、例えば、上操作ボタン３０３と決定ボタンを同時に押下したり、あるボタン、例えば、戻るボタン３０８を予め定められた時間以上押下したりするなどして履歴操作や履歴登録を行うことを通知してもよい。
【産業上の利用可能性】
【００８９】
本発明は、テレビジョン受像機、ビデオ装置又はＯＡ機器などの記録再生装置などに利用が可能である。
【図面の簡単な説明】
【００９０】
【図１】本発明に係る記録再生装置の機能構成を示すブロック図である。
【図２】本発明に係るリモコンの機能構成を示すブロック図である。
【図３】本発明に係るリモコンの上面に具備されているボタンの配置例である。
【図４】本発明に係るメニュー画面の表示例である。
【図５】実施の形態１に係る履歴情報データの一例である。
【図６】実施の形態１に係る記録再生装置の動作の流れを示すフローチャートである。
【図７】実施の形態２に係る記録再生装置の動作の流れを示すフローチャートである。
【図８】実施の形態２に係る、履歴情報データの登録例である。
【符号の説明】
【００９１】
１００  記録再生装置
１０１  受信部
１０２  入力部
１０３  解析部
１０４  メニュー制御部
１０５  記録制御部
１０６  再生制御部
１０７  記録部
１０８  チューナ部
１０９  表示部
２００  リモコン
２０１  入力部
２０２  解析部
２０３  記憶部
２０４  送信部
３００  リモコン上面
３０１  電源ボタン
３０２  メニューボタン
３０３  上操作ボタン
３０４  下操作ボタン
３０５  左操作ボタン
３０６  右操作ボタン
３０７  決定ボタン
３０８  戻るボタン
３０９  履歴ボタン
【図１】
2007335008.tif 000003
【図２】
2007335008.tif 000004
【図３】
2007335008.tif 000005
【図４】
2007335008.tif 000006
【図５】
2007335008.tif 000007
【図６】
2007335008.tif 000008
【図７】
2007335008.tif 000009
【図８】
2007335008.tif 000010